(57)【特許請求の範囲】
【請求項１】
器具本体と；
この器具本体に対応して設けられ人体の有無を検出する人体検出手段と；
この器具本体に対応する人体検出手段の出力が入力される第１の信号入力部および他の器具本体に対応する人体検出手段の出力が入力される第２の信号入力部を有し、第１の信号入力部の入力は第２の信号入力部の入力より優先し、第１の信号入力部に入力があるときには照明の状態を点灯状態とし、第１および第２の信号入力部に入力がないときには照明の状態を減光および消灯のいずれかの状態とし、第１の信号入力部に入力がなくかつ第２の信号入力部に入力があるときには照明の状態を調光点灯状態に制御する制御手段と；
を具備したことを特徴とする照明装置。
【請求項２】
制御手段は、人体を検出した場合の照明の状態を任意に設定可能である
ことを特徴とする請求項１記載の照明装置。
【発明の詳細な説明】
【０００１】
【発明の属する技術分野】
本発明は、人体の有無に従い照明の状態を変化させる照明装置に関する。
【０００２】
【従来の技術】
一般に、この種の照明装置としては、たとえば図４に示す構成が知られている。この図４に示す照明装置１は、器具本体２内に反射板３が配設され、この反射板３の両端にはそれぞれ２対のランプソケット４が配設され、これらランプソケット４間には直管型の蛍光ランプ５が２本配設されている。
【０００３】
また、反射板３には、この器具本体２の下方の所定の範囲の円の内部の検出エリアに人体があるか否か、たとえば在席、不在席を検出する人体検出手段としての人感センサ６が配設されている。
【０００４】
さらに、この照明装置は、たとえば図５に示すように、マトリクス状に配設されている。
【０００５】
そして、対応する照明装置１の人感センサ６の検出エリア内に在席を検出すると、在席を検出した対応する照明装置１は点灯し、他の在席を検出しない照明装置１は消灯あるいは減光状態を維持している。
【０００６】
【発明が解決しようとする課題】
しかしながら、上記従来の構成の場合、図５に示すたとえばＢ地点に人がいたとすると、このＢ地点に検出エリアを有する人感センサ６を有する照明装置１は点灯するが、このＢ地点に検出エリアを有さない人感センサ６を有する照明装置１はそれぞれ対応する検出エリア内の人の有無により点灯と消灯あるいは減光となる。
【０００７】
このため、Ａ地点に人がいる場合、Ａ地点に隣接したＢ地点に人がいるか否かによりＢ地点を検出エリアとする照明装置１が点灯するか減光あるいは消灯するかによりＡ地点の照度が変わってしまい、Ｂ地点の人の有無が頻繁に変化するとＡ地点の照度が頻繁に変わってしまいＡ地点にいる人に違和感を与えてしまい、設定によっては周囲の状況のみが頻繁に変化してＡ地点の人が不快感を感ずるおそれがある問題を有している。
【０００８】
本発明は、上記問題点に鑑みなされたもので、適正照明を得ることができる照明装置を提供することを目的とする。
【０００９】
【課題を解決するための手段】
請求項１記載の照明装置は、器具本体と；この器具本体に対応して設けられ人体の有無を検出する人体検出手段と；この器具本体に対応する人体検出手段の出力が入力される第１の信号入力部および他の器具本体に対応する人体検出手段の出力が入力される第２の信号入力部を有し、第１の信号入力部の入力は第２の信号入力部の入力より優先し、第１の信号入力部に入力があるときには照明の状態を点灯状態とし、第１および第２の信号入力部に入力がないときには照明の状態を減光および消灯のいずれかの状態とし、第１の信号入力部に入力がなくかつ第２の信号入力部に入力があるときには照明の状態を調光点灯状態に制御する制御手段と；を具備したもので、第１の信号入力部に入力されるこの器具本体に対応した人体検出手段で検出する人体の有無のみならず、他の器具本体に対応した人体検出手段で検出する人体の有無に従い、照明制御することにより適正照明となる。
【００１０】
請求項２記載の照明装置は、請求項１記載の照明装置において、制御手段は、人体を検出した場合の照明の状態を任意に設定可能であるもので、状況に応じて照明の状態を任意に設定できるため、環境に適応した適正照明となる。
【００１１】
【発明の実施の形態】
以下、本発明の照明装置の一実施の形態を図面を参照して説明する。なお、従来例で説明した部分に対応する部分には同一符号を付して説明する。
【００１２】
照明装置１は、図４に示すように、器具本体２内に反射板３が配設され、この反射板３の両端にはそれぞれ２対のランプソケット４が配設され、これらランプソケット４間には直管型の蛍光ランプ５が２本配設されている。
【００１３】
また、反射板３には、この器具本体２の下方の所定の範囲の円の内部の検出エリアに人体があるか否か、たとえば在席、不在席を検出する人体検出手段としての人感センサ６が配設されている。
【００１４】
そして、この照明装置１は、図１に示すように、商用交流電源ｅに接続され、蛍光ランプ５を全光、調光点灯および消灯させるインバータ回路などの点灯装置11を有し、この点灯装置11を制御する制御手段としての制御部12が接続されている。また、制御部12は第１の信号入力部12a と第２の信号入力部12b とを有しており、第１の信号入力部12a にはその器具本体２に装着されている人感センサ６が接続され、第２の信号入力部12b には他の器具本体２に装着されている人感センサ６が接続されている。
【００１５】
また、第１の信号入力部12a に信号が入力される場合と、第２の信号入力部12b に信号が入力される場合とでは、蛍光ランプ５の点灯状態を異ならせることができ、たとえば第１の信号入力部12a に信号が入力されると蛍光ランプ５を全光点灯させ、第２の信号入力部12b に信号が入力されると蛍光ランプ５を調光点灯させる。さらに、制御部12では、第１の信号入力部12a の信号入力を、第２の信号入力部12b の信号入力より優先して、蛍光ランプ５を制御する。なお、いずれの場合にも全光点灯あるいは調光点灯に限らず、任意に照度を設定できるようにしてもよい。
【００１６】
なお、第１の信号入力部12a および第２の信号入力部12b のいずれにも信号入力がない場合には、制御部12は蛍光ランプ５を減光あるいは消灯状態にする。
【００１７】
さらに、この照明装置１は、たとえば図２に示すように、マトリクス状に配設され、第２の信号入力部12b には縦あるいは横方向で隣り合う照明装置１の人感センサ６が接続され、周縁に配置された照明装置１には同様に３つの照明装置１の人感センサ６が接続され、角に配置された照明装置１には同様に２つの照明装置１の人感センサ６が接続されている。
【００１８】
そして、対応する照明装置１の人感センサ６の検出エリア内に在席を検出すると、自己の器具本体２の人感センサ６で在席を検出した対応する照明装置１は点灯し、他の器具本体２の人感センサ６で在席を検出した対応する照明装置１は調光点灯し、他の在席を検出しない照明装置１は消灯あるいは減光状態を維持している。
【００１９】
このため、たとえばＢ地点に人がいてもいなくても、このＢ地点に検出エリアを有する人感センサ６を備えた照明装置１はＡ地点に検出エリアを有する人感センサ６からの出力に従い点灯するが、このＡ地点に検出エリアを有する人感センサ６の信号が入力されない照明装置１はそれぞれ対応する検出エリア内の人の有無により点灯と消灯あるいは減光となる。
【００２０】
このため、Ａ地点に人がいる場合、図３に示すように、Ａ地点に検出エリアを有する人感センサ６を備えた照明装置１はＡ地点の人感センサ６からの信号が第１の信号入力部12a に入力されて全光点灯し、Ａ地点に隣接したＢ地点に人がいればＢ地点を検出エリアとする人感センサ６を備えた照明装置１はＢ地点の人感センサ６により全光点灯し、Ｂ地点に人がいなければＢ地点を検出エリアとする人感センサ６を備えた照明装置１はＡ地点の人感センサ６により調光点灯するが、いずれの場合にもＢ地点を検出エリアとする人感センサを有する照明装置１は点灯あるいは調光点灯するため、Ａ地点の照度はＢ地点の人の有無により大きく変わらないためほとんど違和感を与えず、省エネルギを図りながら不快感を感じにくくさせる。なお、Ｂ地点に人がいる場合、Ｂ地点を検出エリアとする人感センサ６からＡ地点を検出エリアとする人感センサ６を有する照明装置１の第２の信号入力部12b に信号が入力されるが、自己の人感センサ６から第１の信号入力部12a に信号が入力されるため、この第１の信号入力部12a への信号が優先するため、Ａ地点を検出エリアとする人感センサ６を備えた照明装置１は全光点灯する。
【００２１】
上記実施の形態によれば、自己の照明装置１の人感センサ６のみならず隣り合う照明装置１の人感センサ６によっても照明装置１は蛍光ランプ５を全光点灯あるいは調光点灯に制御することにより、新たな人感センサ６などを設けることなく、不要な照明装置１は減光あるいは消灯して省電力を図りつつ、環境に適した繊細な照明空間となる。
【００２２】
【発明の効果】
請求項１記載の照明装置によれば、第１の信号入力部に入力されるこの器具本体に対応した人体検出手段で検出する人体の有無のみならず、第２の信号入力部に入力される他の器具本体に対応した人体検出手段で検出する人体の有無に従い照明制御することにより、適正照明となる。
【００２３】
請求項２記載の照明装置によれば、請求項１記載の照明装置に加え、制御手段は人体を検出した場合の照明の状態を任意に設定可能であるので、状況に応じて照明の状態を任意に設定でき、環境に適応した適正照明にできる。
【図面の簡単な説明】
【図１】  本発明の照明装置の一実施の形態を示すブロック図である。
【図２】  同上照明装置の配設状態を点灯状態とともに示す配置図である。
【図３】  同上点灯状態を示すタイムチャートである。
【図４】  同上照明装置の外観を示す斜視図である。
【図５】  従来例の照明装置の配設状態を点灯状態とともに示す説明図である。
【符号の説明】
１    照明装置
２    器具本体
６    人体検出手段としての人感センサ
12    制御手段としての制御部
12a   第１の信号入力部
12b   第２の信号入力部
【図１】
0004371181.tif 000002
【図２】
0004371181.tif 000003
【図３】
0004371181.tif 000004
【図４】
0004371181.tif 000005
【図５】
0004371181.tif 000006